(57)【特許請求の範囲】
【請求項１】
キャビネットにおける上げ底板の下面に固定する左右一対の断面門形の固定フレームに、前後に車輪を設けた左右一対の断面門形の可動フレームを挿入し、且つ固定フレームの左右両側板に前後一対の平行リンクの上端を枢軸により軸着し、可動フレームの左右両側板と上記前後一対の平行リンクの下端とを固定フレームの左右両側板に設けた前端が低く後端が高い円弧状の切欠き溝を貫通させた連結軸により回動自在に連結することにより、固定フレームに対して可動フレームが、切欠き溝の前端と後端の範囲内で前後に進退し且つ上下動するように形成し、更に固定フレームの下面に設けた調整ネジと可動フレームとを、可動フレームが前進しながら下降して車輪がキャビネットの下端より突出したときに収縮し、可動フレームが後退しながら上昇して車輪がキャビネット内に沈んだときに引張り力で伸長するばねにより連結し、前記左右の可動フレームを連結した連杆には、可動フレームをばねに抗して後退させながら上昇させる操作杆の後端を連結し、この操作杆の前端をキャビネットの前方へ露出させることを特徴とする収納家具用キャスター。
【発明の詳細な説明】
【技術分野】
【０００１】
本発明は、収納家具におけるキャビネットから車輪を突出させて収納家具を移動し、車輪をキャスター内に沈ませて収納家具を設置する収納家具用キャスターに関するものである。
【背景技術】
【０００２】
実開昭５６−９３３０５号公報には、キャビネットにおける上げ底板の下面に固定する軸受け枠の両側壁に一対の傾斜溝を形成し、この傾斜溝に車輪の回転軸を摺動自在に支持させ、キャビネットを前方に引き寄せたとき、キャビネット内に沈んでいた車輪がキャビネットの下端より突出し、キャビネットを停止したとき、キャビネットの重量により車輪がキャビネットの下端内に沈む装置が開示されている。しかしこの装置は、前方への移動は容易であるが、後方への移動が出来ないので、実用化は不可能である。
【０００３】
また実開昭５６−９３３０３号公報には、上記装置の欠点を解消するために、自在車輪を使用し、水平方向に自在に回転する軸受け枠の両側壁に一対の傾斜溝を形成し、この傾斜溝に車輪の回転軸を摺動自在に支持させ、キャビネットを前方に引いたり、キャビネットを後方に押したりしたとき、軸受け枠が反転すると共にキャビネット内に沈んでいた車輪がキャビネットより突出するようにした装置が開示されている。しかしこの装置は、キャビネットを引いたり押したりしてもキャビネットの重量により、キャビネットの下端が床面に密接し、軸受けを反転したり車輪を突出させることは不可能であり、従ってこの装置も実用化は不可能である。
【０００４】
本出願人は、このような家具用キャスターの問題点を解決するために、キャビネットにおける上げ底板の下面に固定する左右一対の固定フレームに、前後に車輪を設けた可動フレームを揺動可能に挿入し、且つ固定フレームの左右両側板と可動フレームの左右両側板とを平行リンクにより連結し、キャビネットを前方へ傾斜すると前後の車輪がキャビネットの下端より突出し、キャビネットを後方へ傾斜すると前後の車輪がキャビネット内に沈むように形成し、左右の可動フレームを連杆により連結し、その中央部に前端がキャビネットの前面に突出する操作杆を固定した収納家具用キャスターを特許出願した（特開２００７−１１２１９４号）。
【０００５】
この収納家具用キャスターは、キャビネットを前方に傾斜させることにより、可動フレームを自重で前方へ下降させて、車輪をキャビネットの下端より突出させ、操作杆を押しながらキャビネットを後方に傾斜させることにより、可動フレームを後方へ上昇させて車輪をキャビネット内に沈ませるものであり、キャビネットを左とか右に傾斜させても、車輪を出没させることはできない。また前面が開口した整理棚の場合、これを前方に大きく傾斜させるときは、棚上の収納物を落下させる虞があるので、取り扱いに十分に注意する必要があった。
【特許文献１】実開昭５６−９３３０５号公報
【特許文献２】実開昭５６−９３３０３号公報
【特許文献３】特開２００７−１１２１９４号公報
【発明の開示】
【発明が解決しようとする課題】
【０００６】
本発明は、キャビネットの下端より車輪を突出させて収納家具を移動し、また車輪をキャビネット内に沈ませ、キャビネットの下端を床面に接地させて収納家具を安定させる収納家具用キャスターを提供しようとするものである。
【課題を解決するための手段】
【０００７】
キャビネットにおける上げ底板の下面に固定する左右一対の断面門形の固定フレームに、前後に車輪を設けた左右一対の断面門形の可動フレームを挿入し、且つ固定フレームの左右両側板に前後一対の平行リンクの上端を枢軸により軸着し、可動フレームの左右両側板と上記前後一対の平行リンクの下端とを固定フレームの左右両側板に設けた前端が低く後端が高い円弧状の切欠き溝を貫通させた連結軸により回動自在に連結することにより、固定フレームに対して可動フレームが、切欠き溝の前端と後端の範囲内で前後に進退し且つ上下動するように形成し、更に固定フレームの下面に設けた調整ネジと可動フレームとを、可動フレームが前進しながら下降して車輪がキャビネットの下端より突出したときに収縮し、可動フレームが後退しながら上昇して車輪がキャビネット内に沈んだときに引張り力で伸長するばねにより連結し、前記左右の可動フレームを連結した連杆には、可動フレームをばねに抗して後退させながら上昇させる操作杆の後端を連結し、この操作杆の前端をキャビネットの前方へ露出させることを特徴としている。
【０００８】
この請求項１の収納家具用キャスターを装着したキャビネットを床面に設置した場合、車輪はキャビネットの荷重により、キャビネット内に沈み、ばねは伸長している。この状態において、キャビネットを前後左右の何れかに傾斜させると、車輪へのキャビネットの荷重が除かれるため、ばねの収縮力により可動フレームが平行リンクの揺動可能の範囲を規制するストッパーに当接するまで下降して車輪がキャビネットの下端より突出し、キャビネットの前面に露出している操作杆の前端が前方に突出する。そこで傾斜しているキャビネットを元の起立状態に戻すと車輪が床に接地し、キャビネットは床面から浮上し、キャビネットの移動が可能となる。
【０００９】
このように車輪が床面に接地し、キャビネットが床面より浮上した状態において、キャビネットを前後左右の何れかに傾斜させながら操作杆の前端をキャビネット側に押し込むと、ばねは伸張し、可動フレームは揺動可能の範囲で上昇して車輪がキャビネット内に沈む。そこで操作杆を押したまま、傾斜しているキャビネットを元の起立状態に戻すと、キャビネットの下端、及び車輪は床面に密接し、収納家具は安定する。
【発明の効果】
【００１０】
本発明に係る請求項１の収納家具用キャスターは、床面に設置したキャビネットを前後左右の何れかに傾斜させると、車輪がキャビネットの下端より突出するから、収納家具を任意の方向に移動させることができる。またこの移動可能の状態において、キャビネットを前後左右の何れかに傾斜させながら、操作杆をばねに抗して押し込み、ばねを伸張させながらキャビネットを元の状態に戻すと、車輪がキャビネットの内に沈み、キャビネットの下端が床面に接地するから、収納家具を床面に容易に安定させることができる。
【００１１】
本発明に係る請求項１の収納家具用キャスターは、収納家具を移動する場合、車輪へのキャビネットの荷重を除去すれば、ばねの作用により可動フレームが確実に下降し、車輪が突出するので、キャビネットの傾動方向は前後左右の何れの方向でも良く、また収納家具を床面に設置する場合も、キャビネットの傾動方向は前後左右の何れの方向でも良いので、部屋内の状況に応じ、キャビネットを容易に移動し、設置することができる。
【００１２】
またキャビネットを傾斜させ、キャビネットから突出させた車輪は、ばねの力により突出状態が維持されるため、キャビネットを元の起立状態に戻したとき、キャビネット内に沈んでしまうことがない。しかも、前面が開口した整理棚の場合は、後方か左右の何れかの方向に傾斜させることにより、棚上の収納物の落下を防止することができる。
【発明を実施するための最良の形態】
【００１３】
以下、本発明に係る請求項１の実施形態を図１〜図５を参照して詳細に説明する。図１は本発明に係る収納家具用キャスターの一部切欠き平面図、図２は図１に示すＡ−Ａ断面図、図３及び図４は図１に示すＢ−Ｂ断面図であって、図３は車輪がキャスター内に沈んだ状態であり、図４は車輪がキャスターから突出した状態である。また図５は同上キャスターにおいて、車輪の作動状態を示す説明図である。
【００１４】
符号１は収納家具におけるキャビネット２の底上げ板３の下面に固定する左右一対の金属製の固定フレームであり、前後両端及び下端が開口した断面門形をしている。符号４は前後及び下端が開口した断面門形の金属製の可動フレームであり、左右一対の固定フレーム１内に挿入し、平行リンク５により固定フレーム１に振り子状に揺動自在に連結し、前後の内側に車輪６を軸着している。
【００１５】
上記平行リンク５は、上端を固定フレーム１の左右両側板７の前後に枢軸８により軸着し、下端を可動フレーム４の左右両側板９の前後に枢軸１０により軸着している。この枢軸１０の両端は可動フレーム４の左右両側板９を貫通し、更に固定フレーム１の左右両側板７に形成した円弧状の切欠き溝１１を貫通して平行リンク５の下端に連結している。また切欠き溝１１は枢軸８の下位にあって、その前端及び後端が上向きの円弧状であり、前端のストッパー１１ａより後端のストッパー１１ｂの方が高い位置にある。従って、切欠き溝１１の前端のストッパー１１ａに枢軸１０が当接するときは、車輪６はキャビネット２より突出してキャビネット２を床面１２より浮上し、切欠き溝１１の後側に枢軸１０が移動して後端のストッパー１１ｂに当接するときは、車輪６はキャビネット２内に沈み、キャビネット２を床面１２に接地させる。
【００１６】
符号１３は可動フレーム４を下方へ付勢するコイルばねであり、一端を固定フレーム１の下面中央部に調整ネジＳを介して固定し、他端を後側の枢軸１０に固定している。符号１４は左右の可動フレーム４を連結した連杆であり、左右両端を固定フレーム１の側板７に開口した窓１５を貫通し、可動フレーム４の側板９に連結している。符号１６は連杆１４の中央部に後端を連結した操作杆であり、その前端をキャビネット２の前板１７に穿設した縦長の透孔１８より前方に突出している。
【００１７】
図１〜図３に示すように、キャビネット２における上げ底板３の下面に左右一対の固定フレーム１を固定し、操作杆１６の前端をキャビネット２の前板１７に穿設した縦長の透孔１８より突出させる。図３及び図５（１）に示す状態において、図５（２）に示すように、キャビネット２を後方に傾斜させ、車輪６が床面１２から離脱すると、伸張していたばね１３が収縮し、可動フレーム４は枢軸１０が切欠き溝１１の前端のストッパー１１ａに達するまで前進して下降し、車輪６をキャビネット２の下端より突出させると共に、操作杆１６を前板１７よりやや突出させる。後方に傾斜したキャビネット２を元の起立状態に戻しても、可動フレーム４は前進したままであり、車輪６の突出状態を保つため、図５（３）に示すように、車輪６が床面１２に接し、キャビネット２が床面１２より浮上して、収納家具を容易に移動し得る状態となる。
【００１８】
図５（３）に示す状態において、図５（２）に示すように、キャビネット２を後方に傾斜させながら操作杆１６をばね１３に抗してキャビネット２側に押し込むと、収縮していたばね１３が伸張し、可動フレーム４は枢軸１０が切欠き溝１１の前端のストッパー１１ａより高位置にある後端のストッパー１１ｂに達するまで後退し、車輪６をキャビネット２内に沈ませる。操作杆１６を押したまま、後方に傾斜しているキャビネット２を元の起立状態に戻して操作杆１６をフリーの状態にすると、図５（１）に示すように、キャビネット２の下端及び車輪６の下端が接地し、収納家具が安定した状態となる。
【００１９】
上記実施の形態では、キャビネット２を後方に傾斜させてキャビネット２から車輪６を出没させたが、前後左右の何れの方向に傾斜させてもキャビネット２から車輪６を出没させることができる。また円弧状の切欠き溝１１に代えて固定フレーム１における左右両側板７の下端より門形の切欠き部を形成し、この切欠き部の前後両端をストッパー１１ａ、１１ｂとすることもある。
【図面の簡単な説明】
【００２０】
【図１】本発明に係る収納家具用キャスターの実施の形態を示す一部切欠き平面図である。
【図２】図１に示すＡ−Ａ断面図である。
【図３】図１に示すＢ−Ｂ断面図である。
【図４】車輪が突出した状態を示すＢ−Ｂ断面図である。
【図５】同上キャスターにおいて、車輪の作動状態を示す説明図である。
【符号の説明】
【００２１】
１        固定フレーム
２        キャビネット
３        上げ底板
４        可動フレーム
５        平行リンク
６        車  輪
７        固定フレームの左右両側板
８        平行リンクの上端の枢軸
９        可動フレームの左右両側板
１０      平行リンクの下端の枢軸
１１      切欠き溝
１１ａ    切欠き溝の前端
１１ｂ    切欠き溝の後端
１２      床  面
１３      コイルばね
１４      連  杆
１５      窓
１６      操作杆
１７      前  板
１８      透  孔
【図１】
0004966762.tif 000002
【図２】
0004966762.tif 000003
【図３】
0004966762.tif 000004
【図４】
0004966762.tif 000005
【図５】
0004966762.tif 000006